(57)【要約】【課題】構造が簡単で安価に製造することができるとともに、サイディングを建物の入隅にデザイン性よく、作業性よく取り付けることが可能な入隅用役物を提供する。【解決手段】入隅にサイディングＳを取り付けるための役物であって、該役物は平面視略直角状に形成されて入隅に固定される入隅固定部１と、この入隅固定部１と共同してサイディングＳを保持するジョイナ本体２とからなり、該ジョイナ本体２は、上記入隅固定部１の内隅角部１３に固着される固着部２３と、この固着部２３から左右に拡開するように延伸するジョイナ部２１、２２とからなり、左右各ジョイナ部２１、２２の端部は折曲されて上記入隅固定部１と共にサイディングＳを挟持するサイディング挟持部２１１、２２１とされたサイディング入隅用役物Ａ。【選択図】図５
2008106424.tif 000002
【特許請求の範囲】
【請求項１】
入隅にサイディングを取り付けるための役物であって、該役物は平面視略直角状に形成されて入隅に固定される入隅固定部と、この入隅固定部と共同してサイディングを保持するジョイナ本体とからなり、該ジョイナ本体は、上記入隅固定部の内隅角部に固着される固着部と、この固着部から左右に拡開するように延伸するジョイナ部とからなり、左右各ジョイナ部の端部は折曲されて上記入隅固定部と共にサイディングを挟持するサイディング挟持部とされたサイディング入隅用役物。
【請求項２】
上記ジョイナ本体が釘固定により入隅固定部の内隅角部に固着される請求項１に記載のサイディング入隅用役物。
【請求項３】
上記各サイディング挟持部のサイディング当接面の端部には水密材が縦方向に延設される請求項１に記載のサイディング入隅用役物。
【請求項４】
上記左右に拡開して延伸するジョイナ部が形成する空間が蓋材によって着脱自在に覆われる請求項１に記載のサイディング入隅用役物。
【発明の詳細な説明】
【技術分野】
【０００１】
本発明は、サイディング用役物に関する。さらに詳しくは、建築用サイディングを入隅に取り付ける際に用いる入隅用役物に関する。
【背景技術】
【０００２】
従来、建築用サイディングの取り付けに用いる出隅や入隅用の役物については、種々の技術が知られており、例えば下記特許文献１には、出・入隅兼用の部材が開示されている。
【０００３】
すなわち、下記特許文献１の第１図、第２図に示されるように、略直角状に折曲形成した外側折曲板と、この外側折曲板と略同形でかつ寸法の小さい内側折曲板とからなり、上記外側折曲板の内隅角部と上記内側折曲板の外隅角部にそれぞれ相対して上記外側折曲板には、先端部に係止鉤部を有する係止部材を所要長さ突設し、また上記内側折曲板には上記係止鉤部に係合可能のギザ状の係止歯部を内面に形成した所要長さからなる係止部材を突設してなる出・入隅兼用の部材が開示されている。
【特許文献１】実公平６−１３３０９号公報（第１〜３頁、第１図、第２図）
【発明の開示】
【発明が解決しようとする課題】
【０００４】
しかしながら、上記特許文献１に記載の部材は、構造が複雑であり、しかも、サイディングの高さに相当する外側折曲板と内側折曲板とを一斉に、かつ、均一に押入して、外隅角部と内隅角部とを嵌着し、係止鉤部を係止部材に係止させる必要があるため、施工時の作業性が悪いという問題がある。また、単に係止鉤部と係止部材の係止力により、サイディングを挟持するため、しっかりとサイディングを出隅や入隅に取り付けることができないという問題がある。
【０００５】
本発明はこのような問題を解決して、構造が簡単で安価に製造することができるとともに、サイディングを建物の入隅にデザイン性よく、作業性よく取り付けることが可能な入隅用役物を提供することを、その課題とする。
【課題を解決するための手段】
【０００６】
上記課題を解決するために、本発明においては、つぎのような技術的手段を講じている。すなわち、請求項１に記載の発明によれば、入隅にサイディングを取り付けるための役物であって、該役物は平面視略直角状に形成されて入隅に固定される入隅固定部と、この入隅固定部と共同してサイディングを保持するジョイナ本体とからなり、該ジョイナ本体は、上記入隅固定部の内隅角部に固着される固着部と、この固着部から左右に拡開するように延伸するジョイナ部とからなり、左右各ジョイナ部の端部は折曲されて上記入隅固定部と共にサイディングを挟持するサイディング挟持部とされたサイディング入隅用役物が提供される。このとき、左右各ジョイナ部の端部を折曲して設けた左右サイディング挟持部の幅を略同一とすることが好ましい。
【０００７】
上記入隅固定部とジョイナ本体とは、合成樹脂の押出成型品、アルミ、ステンレスなどの金属板等から形成される。好ましくは、弾性を有する合成樹脂、例えば、硬質塩化ビニル樹脂、ポリプロピレン、ＡＢＳ樹脂、ポリカーボネート樹脂等の押出成形品が用いられる。また、サイディングとしては建築用外装材に用いられる窯業系サイディング、金属サイディング等があげられるが、とくに金属サイディングに好ましく適用される。
【０００８】
請求項２に記載のサイディング入隅用役物は、請求項１に記載の発明に加えて、上記ジョイナ本体が釘固定により入隅固定部の内隅角部に固着されることが好ましい。固着する方法はとくに限定されるものではなく、釘固定、ビス固定、接着剤による固着等あげられるが、釘固定による方法が好ましい。
【０００９】
請求項３に記載のサイディング入隅用役物は、請求項１に記載の発明に加えて、上記各サイディング挟持部のサイディング当接面の端部には水密材が縦方向に延設される。水密材としては、シリコン樹脂等、撥水性樹脂の発泡体を粘着剤等により縦方向に貼り付けて用いることが好ましい。
【００１０】
請求項４に記載のサイディング入隅用役物は、請求項１に記載の発明に加えて、上記左右に拡開して延伸するジョイナ部が形成する空間が蓋材によって着脱自在に覆われることが好ましい。この蓋材もジョイナ本体と同じく、合成樹脂の押出成型品、アルミ、ステンレスなどの金属板等から形成される。好ましくは、弾性を有する合成樹脂、例えば、硬質塩化ビニル樹脂、ポリプロピレン、ＡＢＳ樹脂、ポリカーボネート樹脂等の押出成形品が用いられる。
【発明の効果】
【００１１】
請求項１に記載の発明にかかるサイディング入隅用役物は上記のとおりであり、入隅に固定された入隅固定部とジョイナ本体とからなり、このジョイナ本体の固着部を入隅固定部の内隅角部に固着することにより、ジョイナ本体の固着部から左右に拡開して延伸するジョイナ部の折曲された端部が左右サイディング挟持部として、上記入隅固定部と共同してサイディングをしっかりと挟持する。また、上記左右サイディング挟持部の幅を略同一とすることにより、左右対称となった見栄えのよい見切り縁を形成することができる。
【００１２】
請求項２に記載のサイディング入隅用役物は上記のとおりであり、請求項１のサイディング入隅用役物の有する効果に加え、上記ジョイナ本体が釘固定により入隅固定部の内隅角部に固着されるため、ジョイナ本体の固着部を入隅固定部の内隅角部に重ねて釘を打ち込むことにより、作業性よく施工することができる。
【００１３】
請求項３に記載のサイディング入隅用役物は上記のとおりであり、請求項１のサイディング入隅用役物の有する効果に加え、上記ジョイナ本体の各サイディング挟持部のサイディング当接面の端部には水密材が縦方向に延設されているため、雨水等が浸入することを防ぎ、止水することができる。
【００１４】
請求項４に記載のサイディング入隅用役物は上記のとおりであり、請求項１のサイディング入隅用役物の有する効果に加え、上記左右に拡開して延伸するジョイナ部が形成する空間が蓋材によって着脱自在に覆われるため、ジョイナ本体を固着するために用いた釘等を目隠しできるとともに、メンテナンスの際には、弾性嵌合を解除して容易に点検、部品交換等することができる。
【発明を実施するための最良の形態】
【００１５】
以下、本発明の実施形態について図面を参照して詳細に説明する。図１は、本発明にかかるサイディング入隅用役物Ａの構成を示す斜視図である。図１に示すように、上記サイディング入隅用役物Ａは、入隅に固定される入隅固定部１とジョイナ本体２とからなり、上記入隅固定部１は第１固定板１１と第２固定板１２とで平面視略直角状に形成され、入隅固定部１の内隅角部１３にはジョイナ本体２の固着部２３が固着される。
【００１６】
また、上記ジョイナ本体２は、上記固着部２３から左右に拡開するように延伸する第１ジョイナ部２１と第２ジョイナ部２２とからなり、第１ジョイナ部２１の端部は折曲されて上記第１固定板１１と共にサイディングを挟持する第１サイディング挟持部２１１を、第２ジョイナ部２２の端部は折曲されて上記第２固定板１２と共にサイディングを挟持する第２サイディング挟持部２２１を形成する。
【００１７】
さらに、本実施形態においては、左右に拡開して延伸する第１ジョイナ部２１と第２ジョイナ部２２が形成するくさび形の空間が平面視略コ字型の蓋材３によって着脱自在に覆われる。上記蓋材３は第１脚部３１、第２脚部３２を有し、第１脚部３１には係合突起３１ｂが、また、第２脚部３２には係合突起３２ｂが突設され、これらの係合突起３１ｂ、３２ｂは、上記第１ジョイナ部２１に設けられた係合凹部２１ａおよび第２ジョイナ部２２に設けられた係合凹部２２ａに着脱自在に弾性的に嵌合する。このとき、第１サイディング挟持部２１１の幅ｄ１と、第２サイディング挟持部２２１の幅ｄ２とは略同一とされている。
【００１８】
さらに、第１サイディング挟持部２１１の端部のサイディング当接面には第１水密材４１が、第２サイディング挟持部２２１の端部のサイディング当接面には第２水密材４２がそれぞれ縦方向に粘着剤によって貼り付けられている。
【００１９】
以下、本発明のサイディング入隅用役物Ａの構成について、施工手順とともに、詳しく説明する。図２は、駆体Ｋに設けられた入隅に本発明にかかるサイディング入隅用役物Ａの入隅固定部１を入隅固定部用釘６１で固定した状態を示す平面図である。図２に示すように、入隅固定部１は第１固定板１１と第２固定板１２とを２本の入隅固定部用釘６１で胴縁５に固定することにより、しっかりと入隅に釘固定される。図３は、上記のようにして固定された入隅固定部１にサイディングＳを組み付けた状態を示す一部断面平面図である。図３に示すように寸法合わせをして、入隅固定部１に組み付けた２枚のサイディングＳは、ついでジョイナ本体２によって挟持される。
【００２０】
すなわち、図４に示すように、入隅固定部１の内隅角部１３の上にジョイナ本体２の固着部２３を重ね、ジョイナ本体固着用釘６２で釘固定する。釘固定により、ジョイナ本体２の第１サイディング挟持部２１１と入隅固定部１の第１固定板１１とは共同してサイディングＳをしっかりと挟持するとともに、第１水密材４１はサイディングＳと当接し、雨水等が浸入することを防ぎ、止水する。
【００２１】
同様に、ジョイナ本体２の第２サイディング挟持部２２１と入隅固定部１の第２固定板１２とは共同してサイディングＳをしっかりと挟持するとともに、第２水密材４２はサイディングＳと当接し、雨水等が浸入することを防ぎ、止水する。このとき、図１に示したように、第１サイディング挟持部２１１の幅ｄ１と、第２サイディング挟持部２２１の幅ｄ２とは略等しくされているため、外部に現れる見切り縁は左右対称となり、２枚のサイディングを略直角にすっきりと納めることができる。
【００２２】
図５は、ジョイナ本体２の左右に拡開して延伸する第１ジョイナ部２１と第２ジョイナ部２２が形成するくさび形の空間を平面視略コ字型の蓋材３によって着脱自在に覆った状態を示す一部断面平面図である。図５に示すように、弾性材料からなる蓋材３は、その第１脚部３１と第２脚部３２とを上記くさび形の空間に嵌入し、空間を覆う。
【００２３】
このようにすることによって、ジョイナ本体固着用釘６２の釘頭は目隠しされるとともに、上記蓋材３は、第１サイディング挟持部２１１と第２サイディング挟持部２２１から形成される見切り縁の中央にすっきりと納められる。その結果、本発明のサイディング入隅用役物Ａを用いることにより、建物の入隅にサイディングを略直角に作業性よく、また、見栄えよく施工することができる。
【図面の簡単な説明】
【００２４】
【図１】本発明にかかるサイディング入隅用役物の構成を示す斜視図である。
【図２】本発明にかかるサイディング入隅用役物の入隅固定部を入隅に固定した状態を示す平面図である。
【図３】図２に示す入隅固定部に２枚のサイディングを組み付けた状態を示す一部断面平面図である。
【図４】本発明にかかるサイディング入隅用役物の入隅固定部とジョイナ本体でサイディングを挟持した状態を示す一部断面平面図である。
【図５】本発明にかかるサイディング入隅用役物を用いてサイディングを入隅に取り付け、蓋材でジョイナ本体を覆った状態を示す一部断面平面図である。
【符号の説明】
【００２５】
Ａ          本発明にかかるサイディング入隅用役物
Ｓ          サイディング
Ｋ          駆体
１          入隅固定部
１１        第１固定板
１２        第２固定板
１３        内隅角部
２          ジョイナ本体
２１        第１ジョイナ部
２１１      第１サイディング挟持部
２２        第２ジョイナ部
２２１      第２サイディング挟持部
２１ａ      係合凹部
２２ａ      係合凹部
２３        固着部
３          蓋材
３１        第１脚部
３２        第２脚部
３１ｂ      係合突起
３２ｂ      係合突起
４１        第１水密材
４２        第２水密材
５          胴縁
６１        入隅固定部用釘
６２        ジョイナ本体固着用釘
【図１】
2008106424.tif 000003
【図２】
2008106424.tif 000004
【図３】
2008106424.tif 000005
【図４】
2008106424.tif 000006
【図５】
2008106424.tif 000007